(57)【要約】【課題】  本発明は、通常の形態の三方シール袋等、一般的な形状の袋体に適用可能であり、開封位置を袋体のサイドシール部に沿って自由な位置に設定可能な汎用性と、手で引き裂くことが可能な易開封性を備えつつも、開封時には切り取り片の発生を抑制することが可能な、袋体および包装体を提供することを主な目的とするものである。【解決手段】  内面がヒートシール性を有する積層フィルムを内面同士が向かい合うように折り返し、当該折り返し部、及び、当該折り返し部と略平行に対向する周縁端部にヒートシールを施して対向する一対のサイドシール部を形成する袋体において、前記折り返し部側のサイドシール部の構造を、当該折り返し部が内側に折り込まれた状態でヒートシールされた構造にすることにより、上記課題を解決する。【選択図】      図１
2015013653.tif 000002
【特許請求の範囲】
【請求項１】
内面がヒートシール性を有する積層フィルムから構成され、互いに対向する第１のサイドシール部と第２のサイドシール部を有する袋体であって、
前記第１のサイドシール部が、前記積層フィルムの折り返しにより形成された折り返し部が内側に折り込まれた状態でヒートシールされており、
前記第２のサイドシール部が、折り返しにより向かい合わせになった前記積層フィルムの内面同士でヒートシールされており、
前記第２のサイドシール部が、開封用の引き裂き開始構造を有していることを特徴とする袋体。
【請求項２】
前記袋体が、ボトムシール部を有する三方シール袋であることを特徴とする請求項１に記載の袋体。
【請求項３】
請求項１または請求項２のいずれか一項に記載の袋体に内容物が収納され、前記袋体が有する開口部にヒートシールが施されて密封されていることを特徴とする包装体。
【発明の詳細な説明】
【技術分野】
【０００１】
本発明は、内容物を充填して密封することにより、内容物を保護し、流通させるために用いる袋体および包装体に関し、特に、内面がヒートシール性を有する積層フィルムから構成され、ヒートシールが施されたサイドシール部に設けた切り込み等から手で引き裂いて開封することができる袋体および包装体に関する。
【背景技術】
【０００２】
従来、ヒートシール性を有するフィルムの周縁端部にヒートシールを施して形成した袋体で内容物を包装し、流通させることが広く行われており、内容物保護、製造コストの低減等に貢献している。
【０００３】
このような包装に用いる袋体には使用時の簡便性が求められており、袋体に内容物を収納し開口部を密封した包装体を、刃物を用いず、手で開封するための易開封性に関する工夫に関して多くの提案がなされている。
例えば、初歩的な工夫として、袋体のヒートシール部にノッチや切り込み等を設けることにより、手で包装体を開封するものがあり、また、基材層とヒートシール層からなる複合フィルムで形成された袋体のヒートシール部端縁部に少なくとも基材層を貫通する微細なキズを多数連続的に設けて、当該キズを設けたヒートシール部端縁部のどこからでもヒートシール部を引き裂けるようにしたものがある（特許文献１参照）。
【先行技術文献】
【特許文献】
【０００４】
【特許文献１】特開昭６３−８２９６５号公報
【特許文献２】特開２００９−２５５９５９号公報
【発明の概要】
【発明が解決しようとする課題】
【０００５】
袋体には色々な形態があるが、特に三方シール袋は嵩張らず、かつ、引き裂いて開封することも容易なため、最も多く利用されている。
しかしながら、袋体に内容物を収納し開口部を密封した包装体を手で引裂いて開封すると、袋体を構成するフィルムの切り取り片が生じてゴミとなり、乳幼児が誤飲したり、環境を汚染するといった問題があり、特に、医療現場においては、床に落ちた切り取り片を看護士が拾うことにより手が汚れたり、手術中の患者の体内に切り取り片が落下して感染が懸念される等の問題が生じる可能性がある。
このような問題は、袋体の引き裂き性が良ければ良いほど懸念される問題であり、三方シール袋は最も切り取り片が生じ易い袋体の形態である。
【０００６】
また、通常、袋体に内容物を収納し開口部を密封した包装体を手で引き裂く際は、片手で引き裂き開始位置の下側のヒートシール部を保持し、もう一方の手で引き裂き開始位置の上側のヒートシール部を持って、上側の手を動かして包装体を引き裂くが、勢い良く引き裂いてしまった場合に、内容物が流動性を有する場合や、内容物が重く、片手で保持し難い場合等において、引き裂きが終了した直後に片手で開封された袋体を保持した瞬間にバランスを崩し、内容物をこぼして周囲を汚してしまったり、内容物を落として汚してしまったり、熱い内容物が手に付着してやけどを負ってしまったりするという問題がある。
【０００７】
このような問題を回避するため、引き裂きが伝播するヒートシール部に半円形の切り込みを設けることによって、引き裂きの伝播が止まるようにした包装袋が提案されている（特許文献２参照）。
【０００８】
しかしながら、上記の包装袋においては、幅の広いヒートシール部が必要であり、一般的な形状の袋体には適用できないのみならず、開封位置が限定されてしまうので汎用性が無く、普及していないのが実情である。
【０００９】
本発明は、上記実情に鑑みてなされたものであり、通常の形態の三方シール袋等、一般的な形状の袋体に適用可能であり、開封位置を袋体のサイドシール部に沿って自由な位置に設定可能な汎用性と、手で引き裂くことが可能な易開封性を備えつつも、開封時には切り取り片の発生を抑制することが可能な、袋体および包装体を提供することを主な目的とする。
【課題を解決するための手段】
【００１０】
本発明者は種々研究した結果、内面がヒートシール性を有する積層フィルムを内面同士が向かい合うように折り返し、当該折り返し部、及び、当該折り返し部と略平行に対向する周縁端部にヒートシールを施して対向する一対のサイドシール部を形成する袋体において、前記折り返し部側のサイドシール部の構造を、当該折り返し部が内側に折り込まれた状態でヒートシールされた構造にすることで、上記課題を解決できることを見出して本発明を完成したものである。
【００１１】
すなわち、本発明の請求項１に係る発明は、内面がヒートシール性を有する積層フィルムから構成され、互いに対向する第１のサイドシール部と第２のサイドシール部を有する袋体であって、前記第１のサイドシール部が、前記積層フィルムの折り返しにより形成された折り返し部が内側に折り込まれた状態でヒートシールされており、前記第２のサイドシール部が、折り返しにより向かい合わせになった前記積層フィルムの内面同士でヒートシールされており、前記第２のサイドシール部が、開封用の引き裂き開始構造を有していることを特徴とする袋体である。
【００１２】
また、本発明の請求項２に係る発明は、前記袋体が、ボトムシール部を有する三方シール袋であることを特徴とする請求項１に記載の袋体である。
【００１３】
また、本発明の請求項３に係る発明は、請求項１または請求項２のいずれか一項に記載の袋体に内容物が収納され、前記袋体が有する開口部にヒートシールが施されて密封されていることを特徴とする包装体である。
【発明の効果】
【００１４】
本発明に係る袋体は、ノッチや切り込み等の引き裂き開始構造を有する第２のサイドシール部に対向する第１のサイドシール部が、積層フィルムの折り返しにより形成された折り返し部を内側に折り込んだ状態でヒートシールされた構造を有している。
それゆえ、開封に際しては、第２のサイドシール部の引き裂き開始構造から容易に手で引き裂くことができ、かつ、伝播する引き裂きの進行は、第１のサイドシール部の内側に折り込んだ折り返し部によって阻害されることになり、上記のような切り取り片は生じない。
【００１５】
また、ヒートシール部の幅を特別に広くする等、特殊形状の袋体である必要がなく、通常の三方シール袋形状で実施可能であり、開封時の開口部の幅が狭くなることがなく内容物を取り出し易く、かつ、内容物を充填する際も通常の包装機を使用することができる。
【００１６】
また、前記折り返し部を連続的に内側に折り込んだ構造にすることで、袋体の一辺のサイドシール部全体を引き裂き困難とすることができ、この引き裂き困難なサイドシール部に対向する他辺のサイドシール部のどの位置からでも引き裂くことができるという、汎用性も備えたものとすることができる。
【００１７】
また、本発明に係る包装体においては、包装体を両手で保持した状態で引き裂きが止まるので、内容物を落としたり、こぼしたりするおそれが減り、衛生性、及び、安全性に優れている。
【図面の簡単な説明】
【００１８】
【図１】本発明に係る袋体の一例を示す説明図であり、（ａ）は概略平面図、（ｂ）は（ａ）におけるＡ−Ａ断面図、（ｃ）は（ａ）におけるＢ−Ｂ断面図である。
【図２】本発明に係る第１のサイドシール部の構成例を説明する図である。
【図３】本発明に係る袋体の他の例を示す概略平面図である。
【図４】本発明に係る包装体の一例を示す概略平面図である。
【発明を実施するための形態】
【００１９】
以下、図面を参照しながら本発明に係る袋体および包装体の実施の形態について詳述する。
【００２０】
＜袋体＞
図１は、本発明に係る袋体の一例を示す説明図であり、（ａ）は概略平面図、（ｂ）は（ａ）におけるＡ−Ａ断面図、（ｃ）は（ａ）におけるＢ−Ｂ断面図である。
本発明に係る袋体は、内面２がヒートシール性を有する積層フィルム１から構成されており、例えば、図１（ａ）に示す例においては、袋体１０Ａの上下の辺に沿って、互いに対向する第１のサイドシール部１１ａと第２のサイドシール部１１ｂが形成されており、袋体１０Ａの左端近傍にはボトムシール部１３が形成されている。一方、袋体１０Ａの右端は開口部１４になっている。
また、第２のサイドシール部１１ｂには、開封用の引き裂き開始構造として、略Ｖ字状のノッチ１２が設けられている。
なお、図１（ａ）において、ノッチ１２から第１のサイドシール部１１ａに伸びる破線で示した引き裂き線１５は、現実には開封前の袋体１０Ａには設けられていないが、説明容易とするために視覚化したものである。
【００２１】
そして、図１（ｂ）に示すように、第１のサイドシール部１１ａは、積層フィルム１の折り返しにより形成された折り返し部が内側に折り込まれた状態でヒートシールされており、また、図１（ｃ）に示すように、第２のサイドシール部１１ｂは、折り返しにより向かい合わせになった積層フィルム１の内面２同士でヒートシールされている。
【００２２】
上記の第１のサイドシール部１１ａの構成ついて、図２を用いてより詳しく説明する。
図２は、本発明に係る第１のサイドシール部の構成例を説明する図であり、積層フィルムの折り返しにより形成された折り返し部が内側に折り込まれた状態でヒートシールされて、第１のサイドシール部が形成される様子を説明する図である。
ここで、図２（ａ）は、積層フィルム１の内面２同士が向かい合うように折り返されて、折り返し部２１が形成された状態を示し、図２（ｂ）は、折り返し部２１が内側に折り込まれて、折り込み部３０が形成された状態を示し、図２（ｃ）は、ヒートシールが施されて、第１のサイドシール部が形成された状態を示す。
また、図中、符号２１ａ、２２ａ、２３ａは、それぞれ、折り返し部２１、２２、２３の外面側折り返し端を示し、符号２１ｂ、２２ｂ、２３ｂは、それぞれ、折り返し部２１、２２、２３のそれぞれの内面側折り返し端を示す。
【００２３】
なお、本明細書において、「折り返し端」とは、積層フィルム１の折り返しにより形成された折り返し部の端を指し、「内面側折り返し端」とは、積層フィルム１の内面２側（ヒートシール性を有する側）の折り返し端を指し、「外面側折り返し端」とは、積層フィルム１の外面側（ヒートシール性を有する側と反対側）の折り返し端を指す。
【００２４】
本発明においては、第１のサイドシール部１１ａを形成するために、まず、図２（ａ）に示すように、内面２同士が向かい合うように積層フィルム１を半折して、折り返し部２１を形成する。
【００２５】
次に、図２（ｂ）に示すように、折り返し部２１を内側に折り込んで、折り込み部３０を形成する。
この折り込み部３０の形成過程において、新たに折り返し部２２、２３が形成され、図２（ａ）において、外面側折り返し端２１ａを先端とする山状の形態を有していた折り返し部２１は、折り返し部２２、２３の間に折り込まれて、谷状の形態に変形される。
このような形態は、例えば、片ガセット袋を製造するときのようなガセット折り込み板を挿入することで形成することができる。
【００２６】
その後、図２（ｃ）に示すように、折り返し部２１を内側に折り込んだ状態で、第１のサイドシール部１１ａを形成する領域にヒートシールを施して、図１（ｂ）に示すような、第１のサイドシール部１１ａを形成する。なお、煩雑となることを避けるため、この図２（ｃ）においては、ヒートシール部であることを示す斜線の記載は省いている。
【００２７】
本発明においては、図２（ｃ）に示すように、第１のサイドシール部１１ａは、折り返し部２１が内側に折り込まれた状態でヒートシールされている。
それゆえ、本発明においては、図１（ａ）に示すノッチ１２から引き裂きを開始して、第１のサイドシール部１１ａに向かって引き裂き線１５が伸びてきても、この引き裂き線１５が第１のサイドシール部１１ａの中の折り込み部３０の先端（すなわち、内面側折り返し端２１ｂ）に到達すると、折り返し部２１を内側に折り込んで形成した折り込み部３０が、引き裂きの進行を阻害するように作用し、第１のサイドシール部１１ａの引き裂きが止まることになる。
【００２８】
上記について、より詳しく説明する。
例えば、図２（ｃ）において、積層フィルム１が４層重なっている部分の各積層フィルムを、仮に、上層（図中のＺ方向）から１ａ、１ｂ、１ｃ、１ｄとした場合に、図中右側（Ｘ方向側）から積層フィルム１ａを伝播してきた引き裂きは、内面側折り返し端２１ｂに到達した後も積層フィルム１ａに伝播しようとするが、内面側折り返し端２１ｂより左側の積層フィルム１ａは、引き裂きが伝播していない積層フィルム１ｂと内面２同士がヒートシールされているため、引き裂きの進行が阻害されることになる。
また、同様に、図中右側（Ｘ方向側）から積層フィルム１ｄを伝播してきた引き裂きは、内面側折り返し端２１ｂに到達した後も積層フィルム１ｄに伝播しようとするが、内面側折り返し端２１ｂより左側の積層フィルム１ｄは、引き裂きが伝播していない積層フィルム１ｃと内面２同士がヒートシールされているため、引き裂きの進行が阻害されることになる。
それゆえ、内面側折り返し端２１ｂより左側の第１のサイドシール部１１ａにおいては、引き裂きが止まることになる。
【００２９】
それゆえ、袋体１０Ａから形成された包装体においては、開封に際してノッチ１２から引き裂いても、引き裂き線１５が第１のサイドシール部１１ａの内面側折り返し端２１ｂに到達した後は引き裂きが止まるため、切り取り片は生じない。
【００３０】
また、本発明においては、ヒートシール部の幅を特別に広くする等、特殊形状の袋体とする必要がなく、通常の三方シール袋形状で実施可能であり、開封時の開口部の幅が狭くなることがなく内容物を取り出し易く、かつ、内容物を充填する際も通常の包装機を使用することができる。
【００３１】
なお、図１（ａ）においては、本発明に係る袋体の好ましい形態として、三方シール袋を例示したが、本発明に係る袋体は、第２のサイドシール部の形状を直線状の形態以外に変形させることが可能であり、例えば、図３に示す袋体１０Ｂのように、変形させた第２のサイドシール部１１ｂを設けた後、余剰部を切り取ることによって、開封部を狭めた袋体形状とすることもできる。
【００３２】
ここで、上記の開封部は、ノッチ１２から第１のサイドシール部１１ａ方向への引き裂きによって、引き裂き線１５の位置に形成されるものである。
なお、引き裂き線１５は、引き裂き行為以前の袋体１０Ｂには形成されていないが、説明容易とするために、図３においても、引き裂き線１５の位置を破線で示している。
【００３３】
また、図１（ａ）においては、第２のサイドシール部１１ｂに、引き裂き開始構造として、略Ｖ字状のノッチ１２が１箇所だけ設けられている形態を例示したが、本発明に係る袋体においては、第２のサイドシール部１１ｂが、ノッチや切り込み等の引き裂き開始構造を複数箇所に有している構造であっても良い。
また、積層フィルム１を構成する基材フィルムに、一方向に直進引き裂き性を有する一軸延伸フィルムを用いることで、第２のサイドシール部１１ｂのどの位置からでも引き裂き可能とした構造を、第２のサイドシール部１１ｂが有する引き裂き開始構造としてもよい。
このような場合には、第２のサイドシール部１１ｂと対向する第１のサイドシール部１１ａの全体に、上記のような折り込み部３０を形成することで、第２のサイドシール部１１ｂのどの位置からの引き裂きであっても、上述と同様に、第１のサイドシール部１１ａにおいて引き裂きを止めることができる。
【００３４】
（積層フィルム）
本発明に係る袋体を形成する積層フィルム１は、少なくとも基材フィルムとヒートシール性フィルムを積層したフィルムからなり、必要に応じて基材フィルムとヒートシール性フィルムの間に、中間層を設けても良い。
【００３５】
基材フィルムとしては、一般的に食品用包装材料に用いられるポリエチレンテレフタレイト、ポリアミド、ポリプロピレン、ポリエチレン等の、物理的強度や耐熱性に優れた二軸延伸フィルム、および、これらのフィルムに金属酸化物や金属を蒸着したり、酸素バリア性コーティングを施したり、易接着性層を設けたりしたフィルムを用いることができる。また、横方向に直進引き裂き性を有する横一軸延伸フィルム（例えば、横一軸延伸ポリプロピレンフィルム、製品名「ＹＴ−２２」、東レフィルム加工株式会社製）を用いても良い。
【００３６】
ヒートシール性フィルムとしては、加熱により軟化し、圧力を加えることによって熱融着する、一般的なヒートシール性フィルムを用いることができ、例えば、ポリエチレン、ポリプロピレン、ポリエステル、ポリアクリロニトリル、環状オレフィンコポリマー、酸変性ポリオレフィン、エチレン・酢酸ビニル共重合体、アイオノマー等の未延伸フィルムを、用途に応じて使い分ければ良い。
【００３７】
中間層としては、前記の基材フィルムに用いるフィルムに加えて、金属箔、エチレン・ビニルアルコール共重合体、遮光性フィルム等を用途により単層、または、複層で用いることができる。
【００３８】
特に、基材フィルムに二軸延伸フィルムを用いた場合、ヒートシール性フィルムと貼り合わせる中間層に横一軸延伸フィルムを用いると直進易引き裂き性が得られ、引き裂きをし損じにくくなる点において有益である。
【００３９】
また、本発明に係る袋体に用いる積層フィルムにおけるフィルムの積層方法は、特に限定する必要がなく、通常のフィルム積層方法である、ドライラミネーション、ノンソルラミネーション、溶融樹脂の押出しラミネーション等を用いることができる。
【００４０】
また、本発明に係る袋体には文字や絵柄の印刷を施すことができ、通常は基材フィルムにグラビア印刷、フレキソ印刷等によって印刷する。
【００４１】
（製袋）
本発明に係る袋体の製袋は、片側ガセット袋の製袋方法と、二方シール袋の製袋方法を組み合わせて変形させた製袋方法により実施できるので、ガセット袋を製袋する通常の製袋機で製袋することができる。
【００４２】
すなわち、製袋機にセットした巻取り状の積層フィルムを、二方シール袋を製造するときのように縦に半折して積層フィルムの両端を重ね合わせ、半折の折り返し部に片ガセット袋を製造するときのように、ガセット折り込み板を挿入して折り込み部を形成し、両サイドシール部を形成するための縦シールを施した後、横シールを施して切断することにより本発明に係る袋体を製造できる。
【００４３】
また、本発明においては、上述のように、第１のサイドシール部１１ａの全体に、上記のような折り込み部３０を形成することで、どの箇所でも引き裂きを止めることができるので、第２のサイドシール部１１ｂに、製袋時にノッチを複数箇所設けたり、製袋する前の積層フィルムの両端縁部に予め少なくとも基材層を貫通する微細なキズを多数連続的に設けたりしてもよい。
【００４４】
（折り込み部）
本発明に係る袋体の折り込み部３０の長さ（図１（ｂ）に示す例において、内面側折り返し端２１ｂから外面側折り返し端２３ａまでの水平方向の距離）は、短過ぎると積層フィルム１を勢い良く引き裂いたときに積層フィルム１と一緒に切れてしまうおそれがあり、一方、長過ぎても無駄である。
それゆえ、本発明に係る折り込み部３０の長さは、２ｍｍ以上であって、第１のサイドシール部１１ａの幅と同じ長さ以下であることが好ましい。
【００４５】
なお、図１（ｂ）に示す例において、折り込み部３０の内側の面（外面側折り返し端２１ａと外面側折り返し端２２ａを含む面、および、外面側折り返し端２１ａと外面側折り返し端２３ａを含む面）は、ヒートシール性を有する内面２ではなく、積層フィルム１の外面に相当する。それゆえ、上記の折り込み部３０の内側の面は、ヒートシールされておらず、折り込み部３０が開いて見苦しい外観を呈する場合がある。
この場合には、予め、折り込み部３０となる位置の積層フィルム１の外面にヒートシール剤を塗布しておくことで、第１のサイドシール部１１ａにヒートシールを施す際に折り込み部３０の内側の面もヒートシールされるため、折り込み部３０が開いてしまうことを防ぐことができる。
【００４６】
＜包装体＞
本発明に係る包装体は、上述の本発明に係る袋体に内容物が収納され、袋体が有する開口部にヒートシールが施されて密封されているものである。
図４は、本発明に係る包装体の一例を示す概略平面図である。
例えば、図４に示す包装体５０は、図１（ａ）に示す袋体１０Ａの中に、内容物Ｍが収納され、袋体１０Ａの開口部１４にヒートシールが施されて、密封シール部５１が形成されたものである。
【００４７】
本発明に係る包装体は、上述の本発明に係る袋体から形成されるため、包装体を引き裂いて開封する際に、包装体を両手で保持した状態で引き裂きが止まるので、内容物を落としたり、こぼしたりするおそれが減り、衛生性、及び、安全性に優れている。
また、上述のように、本発明に係る袋体は、通常の三方シール袋形状で実施可能であり、ヒートシール部の幅を特別に広くする等、特殊形状の袋体である必要がないため、内容物を充填する際も通常の包装機を使用することができる。
【００４８】
以上、本発明に係る袋体および包装体についてそれぞれの実施形態を説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００４９】
次に、実施例及び比較例により本発明を更に詳述する。
【００５０】
（実施例１）
（積層フィルムの製造）
基材フィルムとして、厚み１５μｍ、幅５８０ｍｍの二軸延伸ポリアミドフィルム（製品名「Ｎ２１０２」、東洋紡績株式会社製）を選定し、グラビア印刷機で、コロナ処理面に、図柄、および、文字を印刷した。
前記の印刷済み二軸延伸ポリアミドフィルムの印刷面に、２液硬化型ウレタン系接着剤を塗布し、厚み４０μｍ、幅５８０ｍｍの未延伸ポリエチレンフィルム（製品名「Ｌ４１０２」、東洋紡績株式会社製）を貼り合わせた後、２８０ｍｍ幅にスリットし、積層フィルムＡを得た。
【００５１】
（袋体の製造）
前記の積層フィルムＡをガセット袋製袋機にセットし、半折しつつ折り返し部にガセット折り込み板を挿入して長さ（奥行き）５ｍｍの折り込み部を形成した幅１０ｍｍの第１のサイドシール部と、前記折り込み部を有する第１のサイドシール部と対向する幅１２ｍｍの第２のサイドシール部とを、縦シールにより形成し、前記幅１２ｍｍの第２のサイドシール部を化粧裁ちして幅１０ｍｍとしてからボトムシール部形成位置の上端から１０ｍｍとなる位置にノッチを１箇所形成した。しかる後、幅１０ｍｍのボトムシール部を横シールにより形成し、次いで、ボトムシール部の下端から２ｍｍの位置で切断し、幅１３０ｍｍ、長さ２１０ｍｍの、本発明に係る袋体を得た。
【００５２】
（引き裂き試験）
前記の袋体に水３５０ｍｌを充填した後、開口部にヒートシールを施して幅１０ｍｍの密封シール部を設け、本発明に係る包装体を１０個得た。
前記包装体のノッチ下のヒートシール部を左手で、ノッチ上のヒートシール部を右手で保持した後、右手を手前に引くようにして、ノッチを設けた第２のサイドシール部から折り込み部を有する第１のサイドシール部に向かって包装体を引き裂いた。
その結果、１０個全てにおいて、第１のサイドシール部の折り込み部の先端で引き裂きが止まり、切り取り片は生じなかった。
また、引き裂きが止まった時点において、包装体は両手で保持された状態であり、水がこぼれぬよう引き裂き口を水平に保つことができたので、水をこぼすことなく包装体を開封することができた。
【００５３】
（実施例２）
（積層フィルムの製造）
基材フィルムとして、厚み１２μｍ、幅５８０ｍｍの酸化珪素蒸着二軸延伸ポリエチレンテレフタレイトフィルム（製品名「ＩＢ−ＰＥＴ−ＲＢ」、大日本印刷株式会社製）を選定し、グラビア印刷機で、蒸着面表面のコーティング面に、図柄、および、文字を印刷した。
前記の印刷済み酸化珪素蒸着二軸延伸ポリエチレンテレフタレイトフィルムの印刷面に、２液硬化型ウレタン系接着剤を塗布し、厚み２５μｍ、幅５８０ｍｍの横一軸延伸ポリプロピレンフィルム（製品名「ＹＴ４２」、東レフィルム加工株式会社製）を貼り合わせた後、前記ポリプロピレンフィルム面に、２液硬化型ウレタン系接着剤を塗布し、ヒートシール性フィルムとして、厚み６０μｍ、幅５８０ｍｍの未延伸ポリプロピレンフィルム（製品名「Ｐ１１４７」、東洋紡績株式会社製）を貼り合わせた後、２８０ｍｍ幅にスリットし、積層フィルムＢを得た。
【００５４】
（袋体の製造）
前記の積層フィルムＢを実施例１で用いたガセット袋製袋機にセットし、ボトムシール部形成位置の上端から１０ｍｍとなる位置と、開口部から２５ｍｍとなる位置の２箇所にノッチを形成した以外は実施例１と同様に製袋し、幅１３０ｍｍ、長さ２１０ｍｍの本発明に係る袋体を得た。
【００５５】
（引き裂き試験）
前記の袋体に水３５０ｍｌを充填した後、開口部にヒートシールを施して幅１０ｍｍの密封シール部を設け、本発明に係る包装体を２０個得た。
前記包装体の１０個でボトムシール側ノッチ下のヒートシール部を左手で、ノッチ上のヒートシール部を右手で保持した後、右手を手前に引くようにして包装体を引き裂いた。
また、残りの包装体１０個で、前記試験とは上下逆にして、密封シール側ノッチ下のヒートシール部を左手で、ノッチ上のヒートシール部を右手で保持した後、右手を手前に引くようにして包装体を引き裂いた。
その結果、１０個ずつ２０個全てで、いずれのノッチから引き裂いても、第１のサイドシール部の折り込み部の先端で引き裂きが止まり、切り取り片は生じなかった。
【００５６】
（実施例３）
（積層フィルムの製造）
基材フィルムとして、厚み２０μｍ、幅５８０ｍｍの両面コロナ処理二軸延伸ポリプロピレンフィルム（製品名「ＦＯＲ−ＢＴ」、フタムラ化学株式会社製）を選定し、グラビア印刷機で、片面に図柄、および、文字を印刷した後、フィルムを反転し、もう一方の面の両端から１５０ｍｍの位置２箇所にポリプロピレンフィルム用ヒートシール剤を幅８ｍｍで連続的に、帯状に塗布した。
前記の印刷済み二軸延伸ポリプロピレンフィルムの図柄、および、文字印刷面に、２液硬化型ウレタン系接着剤を塗布し、厚み２５μｍ、幅５８０ｍｍの横一軸延伸ポリプロピレンフィルム（製品名「ＹＴ４２」、東レフィルム加工株式会社製）を貼り合わせた後、前記横一軸延伸ポリプロピレンフィルム面に、２液硬化型ウレタン系接着剤を塗布し、ヒートシール性フィルムとして、厚み６０μｍ、幅５８０ｍｍの未延伸ポリプロピレンフィルム（製品名「Ｐ１１４７」、東洋紡績株式会社製）を貼り合わせ、その後、２８０ｍｍ幅にスリットし、表面中央に幅８ｍｍのヒートシール剤塗布部を有する積層フィルムＣを得た。
【００５７】
（袋体の製造）
前記の積層フィルムＣをガセット袋製袋機にセットし、半折しつつ折り返し部にガセット折り込み板を挿入して長さ（奥行き）６ｍｍの折り込み部を形成した後、幅１０ｍｍの第１のサイドシール部と、前記折り込み部を有する第１のサイドシール部と対向する幅１２ｍｍの第２のサイドシール部とを、縦シールにより形成し、前記幅１２ｍｍの第２のサイドシール部を化粧裁ちして幅１０ｍｍとしてからボトムシール部形成位置の上端から１０ｍｍとなる位置にノッチを１箇所形成した。しかる後、幅１０ｍｍのボトムシール部を横シールにより形成し、次いで、ボトムシール部の下端から２ｍｍの位置で切断し、幅１２５ｍｍ、長さ２１０ｍｍの、本発明に係る袋体を得た。
当該袋体においては、折り込み部の内側の面にヒートシール剤が塗布されているため、第１のサイドシール部にヒートシールを施した際に、折り込み部の内側の面同士がヒートシールされ、それゆえ、折り込み部が開かなくなる。その結果、良好な外観を呈するのみならず、製袋後、袋体を束ねるのも容易だった。
【００５８】
（引き裂き試験）
前記の袋体に水３４０ｍｌを充填した後、開口部にヒートシールを施して幅１０ｍｍの密封シール部を設け、本発明に係る包装体を１０個得た。
前記包装体のノッチ下のヒートシール部を左手で、ノッチ上のヒートシール部を右手で保持した後、右手を手前に引くようにして包装体を引き裂いた。
その結果、１０個全てにおいて、第１のサイドシール部の折り込み部の先端で引き裂きが止まり、切り取り片は生じなかった。
また、引き裂きが止まった時点において、包装体は両手で保持された状態であり、水がこぼれぬよう引き裂き口を水平に保つことができたので、水をこぼすことなく包装体を開封することができた。
【００５９】
（比較例）
（袋体の製造）
実施例２で製造した積層フィルムＢをガセット袋製袋機にセットし、半折しつつ折り返し、折り込み部を形成せず、折り返し部と、折り返し部の反対側とに幅１２ｍｍのサイドシール部を縦シールにより形成した後、サイドシール部を化粧裁ちして幅１０ｍｍとしてからボトムシール部の上端から１０ｍｍとなる位置にノッチを１箇所形成した。
しかる後、幅１０ｍｍのボトムシール部を横シールにより形成し、次いで、ボトムシール部の下端から２ｍｍの位置で切断し、幅１３０ｍｍ、長さ２１０ｍｍの、比較例の袋体を得た。
【００６０】
（引き裂き試験）
前記の袋体に水３５０ｍｌを充填した後、開口部にヒートシールを施して幅１０ｍｍの密封シール部を設け、比較例の包装体を１０個得た。
前記包装体のノッチ下のヒートシール部を左手で、ノッチ上のヒートシール部を右手で保持した後、右手を手前に引くようにして包装体を引き裂いた。
その結果、１０個全てにおいて、ノッチを形成したサイドシール部と対向するサイドシール部も容易に引き裂かれてしまい、切り取り片が発生した。
【符号の説明】
【００６１】
１・・・積層フィルム
２・・・内面
１０Ａ、１０Ｂ・・・袋体
１１ａ・・・第１のサイドシール部
１１ｂ・・・第２のサイドシール部
１２・・・ノッチ
１３・・・ボトムシール部
１４・・・開口部
１５・・・引き裂き線
２１、２２、２３・・・折り返し部
２１ａ、２２ａ、２３ａ・・・外面側折り返し端
２１ｂ、２２ｂ、２３ｂ・・・内面側折り返し端
３０・・・折り込み部
５０・・・包装体
５１・・・密封シール部
Ｍ・・・内容物
【図１】
2015013653.tif 000003
【図２】
2015013653.tif 000004
【図３】
2015013653.tif 000005
【図４】
2015013653.tif 000006